Podtech/llm-jp-corpus-v4-ja_patent huggingface dataset:
(57)【要約】      （修正有）【課題】ゴルフクラブに照準角度（肩の開き）誤差２０度（仮に設定する）または１１０度（仮に設定する）を点、線、色分け、刻印で表示したゴルフクラブを提供する。【解決手段】ゴルフクラブのドライバーヘッド（クラウン）５に線１と線２を中心点３まで引き照準角度（肩の開き）２０度（仮に設定する）を表示する【選択図】図１
2005137864.tif 000002
【特許請求の範囲】
【請求項１】
アドレスのときに左右の爪先を結ぶラインと両肩を結ぶラインが個人差はあるが約２０度半時計方向にずれる照準角度（肩の開き）の誤差をクラブフェース面に対して約２０度または約１１０度を点、線、色分け、刻印を使って視認できるように表示したゴルフクラブ
【発明の詳細な説明】
【発明の詳細な説明】
【産業上の利用分野】
【０００１】この発明はゴルフの利き腕の手が先に出てグリップするとアドレス時の左右のつま先を結ぶラインと両肩を結ぶラインが約２０度半時計方向にずれる、これを照準角度（肩の開き）の誤差が約２０度と言う、これを０度にするゴルフクラブに関するものである
【背景技術】
【０００２】従来はボールの曲がる照準角度（肩の開き）の狂ったスイングを矯正するのにゴルブクラブのグリップをフックに装着した。自分の照準角度（肩の開き）に合うクラブに出会うのは希で、そのためにスイングが悪くなる傾向があった。
【発明が解決しようとする課題】
【０００３】本発明は以上の欠点を解決し照準角度（肩の開き）の誤差約２０度を表示するゴルフクラブを目的とする
【課題を解決するための手段】
【０００４】ドライバーヘッド（クラウン）（５）に照準角度（肩の開き）誤差２０度（仮に設定する）を表示線（１）と表示線（２）を中心点（３）に引き表示する。本発明は以上の構成である
【作用】
【０００５】直立し眼前で
【２図】
のドライバーヘッド（クラウン）（５）の表示線（２）が垂直になるようにドライバーを持つと表示線（１）が目標に対して被る２０度（仮に設定する）ができる。アドレスに入り右肩を右後方に引くと表示線（１）が
【１図】
の右上面図のように照準角度（肩の開き）０度でフェース（４）が目標と直角となるアドレスができる
【実施例】
【０００６】ドライバーのヘッド（クラウン）（５）に表示線（１）と表示線（２）を中心点（３）に引き照準角度（肩の開き）誤差２０度（仮に設定する）を表示する。【０００７】また本発明のほかの実施例として
【３図】
アイアンヘッドのフェース（４’）に表示点（１’）と表示点（２’）を打ち中心点（３’）を結ぶ仮想線で上方から見た照準角度（肩の開き）誤差２０度（仮に設定する）を表示する。またフェース（４’）の上部に芯位置表示点（５’）を表示すると更によい。
【発明の効果】
【０００８】照準角度（肩の開き）誤差０度で当たるから狙った方向へボールが飛ぶ。
【図面の簡単な説明】
【図１】ドライバー正面図
【図２】ドライバー本体照準角２０度保持状態上面図
【図３】アイアン面図
【符号の説明】
ドライバーヘッド１表示線                ２表示線                ３中心点                ４フェース                ５ヘッド（クラウン）アイアンヘッド  １’表示点                ２’表示点                ３’中心点                ４’フェース                ５’芯位置表示点
【図１】
2005137864.tif 000003
【図２】
2005137864.tif 000004
【図３】
2005137864.tif 000005
(57)【要約】【課題】  地震による家具の転倒を防ぎ、人的被害および物的損害を防ぐ。【解決手段】  地震感知家具転倒防止器２を家具１の下部左右に床３に接するように取り付け、地震により家具１後部が床を離れたとき、押バネ５が底穴４より延び出る。押バネ５に接続した後方可倒ツメ付上下板６が下がり、後方可倒ツメ７が家具転倒防止棒８の凹みより外れ、家具転倒防止棒８は接続された引バネ９により４分３が押し出される。押し出された家具転倒防止棒８により家具１の接地面積が拡張され転倒を防ぐ。再使用は、家具転倒防止棒８を押し込み、ねじ付セットシャフト挿入孔１０にねじ込まれているねじ付セットシャフト１１をねじ込む。押バネ５、後方可倒ツメ付上下板６、後方可倒ツメ７、家具転倒防止棒８及び引バネ９は作動しなくなる。家具１を据え付後、ねじ付セットシャフト１１をねじ付セットシャフト挿入孔１０の入り口までねじり出す。地震感知家具転倒防止器は作動待機状態になる。【選択図】  図１
2005137853.tif 000002
【特許請求の範囲】
【請求項１】
家具の下部左右に床に接するように取り付け、地震により家具の後部が浮き上がり、床を離れたとき、バネの力で家具転倒防止棒が外に押し出され、押し出された家具転倒防止棒により、家具の接地面積が拡張し、家具の転倒を防ぐ地震感知家具転倒防止器。
【請求項２】
地震感知家具転倒防止器の作動を抑える、ねじ付セットシャフト挿入孔及びねじ付セットシャフトを備えた地震感知家具転倒防止器。
【発明の詳細な説明】
【技術分野】  本発明は、地震による家具の転倒を防止するものである。
【背景技術】  地震による家具の転倒を防ぐため、家具と天井の間に棒を入れ固定する方法があるが、天井によっては強度に不安があり、万一外れた場合は落下するおそれがあり危険である。また、家具を金具で壁、長押及び柱に固定する方法があるが、壁や長押の強度とねじ又は釘の利きに不安がある。これらを取り外すと家具、天井、壁、長押及び柱にねじ穴等の跡が残り美観を損なう。床と家具の前部との間に斜めに加工した敷物を入れる方法もあるが、家具が斜めに据え置かれ、狂いを生じるおそれもあり、また、見た目もよくな。
【発明の開示】
【発明が解決しようとする課題】
【０００１】  家具に地震感知転倒防止機能が装着されていないため、地震により家具が転倒し、人的被害および物的損害が発生している。
【課題を解決するための手段】
【０００２】  家具の奥行きと同じ長さの地震感知家具転倒防止器を家具の左右下部に床に接するように取り付け、地震により家具後部が浮き上がり床を離れたときに、内蔵された押バネ、後方可倒ツメ付上下板、後方可倒ツメ、家具転倒防止棒及び引バネの連動により、家具転倒防止棒が４分３外に押し出され、家具の設置面積が拡張され家具の転倒を防止する。
【発明の効果】
【０００３】  地震が発生し、家具が浮き上がり、地震感知家具転倒防止器に内蔵された家具転倒防止棒が外に押し出され家具の転倒を防止し、人的被害を防ぐとともに物的損害を防ぐ。地震が治まった後は、ねじ付セットシャフトにより、再度使用することができる。さらに取り付け位置が家具の下部なので違和感を与えない。また、使用中の家具に取り付けられるし、新しく作製される家具に一体として取り付けられる。脚が付いている家具は、脚の下に板を取り付けその板の下に取り付けられる。
【発明を実施するための最良の形態】  本発明は、地震が発生したとき家具の転倒を防ぐ地震感知家具転倒防止器で、それを図面について説明すれば、家具１の左右下部側面または真下に家具１の奥行きと同じ長さの地震感知家具転倒防止器２を取り付け、地震により家具１の後部が浮き上がり床３を離れたとき、地震感知家具転倒防止器２の底穴４より押バネ５が延び出して、押バネ５に接続された後方可倒ツメ付上下板６が下がり、後方可倒ツメ７が家具転倒防止棒８の凹みより外れ、家具転倒防止棒８の長さの４分３が、接続された引バネ９の力により、地震感知家具転倒防止器２より外に押し出され、家具１は押し出された家具転倒防止棒８により接地面積が拡張され転倒を防ぐ。
地震が治まった後、家具１を据え付け直そうと、押し出された家具転倒防止棒８を押し込んでも、家具１を持ち上げると押バネ５は底穴４より延び出し、後方可倒ツメ付上下板６及び後方可倒ツメ７は下がり、家具転倒防止棒８の凹みから後方可倒ツメ７は外れ、家具転倒防止棒８は、引バネ９の力で押し出される。
家具１の据え付けは、家具１を床３に置き、押バネ５、後方可倒ツメ付上下板６及び後方可倒ツメ７が上がった状態で、家具転倒防止棒８を奥まで押し込む、後方可倒ツメ７はいったん押バネ５側に倒れ、家具転倒防止棒８の凹みがくると中に入り立ち上がる。続いて、ねじ付セットシャフト挿入孔１０にねじ込まれている、ねじ付セットシャフト１１を止まるまでねじ込む。ねじ付セットシャフト１１がねじ込まれると、家具１を持ち上げても、押バネ５、後方可倒ツメ付上下板６、後方可倒ツメ７、引バネ９及び家具転倒防止棒８は作動しない。
家具１を据え付け後、ねじ付セットシャフト１１をねじ付セットシャフト挿入孔１０の入り口までねじり出す。これにより押バネ５、後方可倒ツメ付上下板６、後方可倒ツメ７、引バネ９及び家具転倒防止棒８が作動待機状態となり、再度地震が発生したとき地震感知家具転倒防止器２は作動する。
【実施例】
【産業上の利用可能性】
【図面の簡単な説明】
【図１】  地震感知家具転倒防止器の作動待機状態を示す横断面図である。
【図２】  地震感知家具転倒防止器の作動を抑えた状態を示す横断面図である。
【図３】  地震感知家具転倒防止器が作動し、家具転倒防止棒が押し出された状態を示す横断面図である。
【図４】  地震感知家具転倒防止器を既存の家具の側面に取り付けた例を示す立体図である。
【図５】  地震感知家具転倒防止器を既存の家具の下に取り付けた例を示す立体図である。
【図６】  地震感知家具転倒防止器を取り付け作製した家具の例を示す立体図である。
【符号の説明】
１  家具
２  地震感知家具転倒防止器
３  床
４  底穴
５  押バネ
６  後方可倒ツメ付上下板
７  後方可倒ツメ
８  家具転倒防止棒
９  引バネ
１０  ねじ付セットシャフト挿入孔
１１  ねじ付セットシャフト
【図１】
2005137853.tif 000003
【図２】
2005137853.tif 000004
【図３】
2005137853.tif 000005
【図４】
2005137853.tif 000006
【図５】
2005137853.tif 000007
【図６】
2005137853.tif 000008
(57)【要約】      （修正有）【課題】マスク使用時に開封した袋やケースなどを捨てたり、或いは散逸してしまい、マスク使用後、カバンやポケットの中で保管する際に、人間の口や鼻に触れる部分にゴミやホコリ、雑菌、花粉などのアレルギー物質などが付着したり、或いはマスクが変形する結果、使用者が感染したり、アレルギーを発症したり、マスクの寿命が短くなったりすることを防止することを目的とした、マスク用ケースを提供する。【解決手段】折りたたみ自在なシート体に、マスク取付け用の孔を形成する。【選択図】図２
2005137858.tif 000002
【特許請求の範囲】
【請求項１】
折りたたみ自在なケースとしてのシート体と、該シート体にマスクを取り付ける為の取付け孔が形成されているマスク用ケース。
【請求項２】
前記シート体に折りたたみ用の切りぬきが形成されている請求項１に記載のマスク用ケース。
【請求項３】
前記シート体に通気孔が形成されている請求項１又は２に記載のマスク用ケース。
【請求項４】
前記通気孔がウロコ状に形成されている請求項１乃至３のいずれかに記載のマスク用ケース。
【請求項５】
前記シート体が抗菌加工されていることを特徴とする請求項１乃至４のいずれかに記載のマスク用ケース。
【発明の詳細な説明】
【発明の詳細な説明】
【発明の属する分野】
【０００１】  本発明はマスク用ケースに関する。
【背景技術】
【０００２】  従来のマスクは使用時に袋やケースなどのケースから取り出して使用する。マスクを使用後、保管する際にはケースに収納するか、そのまま保管する。
【発明が解決しようとする課題】
【０００３】  これは次のような欠点があった。
マスクを使用中、収納ケースは必要ない為、ケースが散逸したり、或いは捨てられることにより、マスクを使用後、ケースに入れない状態で保存することが多くなる。
その結果、カバンやポケットの中で人間の口や鼻が触れる部分にゴミやホコリ、雑菌、花粉などのアレルギー物質などが付着し、或いはマスクが変形する結果、使用者が感染したり、アレルギーを発症する原因や、マスクの寿命を短くする原因となった。
【課題を解決する為の手段】
【０００４】  請求項１の発明は、ケースの構造体としてのシート体（１）と口や鼻を覆う為のマスク（２）を備え、これらを一体として使用することを特徴とするマスク用ケースを提供する。
【０００５】  請求項１の発明によれば、マスクの使用中もケースが一体としてマスクを構成している為、ケースが散逸することなく、使用後の保管の為に特にケースを別途準備する必要がないものである。
【０００６】  請求項２の発明によれば、請求項１の発明の作用効果に加えて、ケースの折りたたみ位置が安定する為、繰り返し使用の寿命を延長する作用効果を奏する。
【０００７】  請求項３の発明によれば、請求項１の発明の作用効果に加えて、使用者の呼吸負荷を低減する作用効果を奏する。
【０００８】  請求項４の発明によれば、請求項１及び３の発明の作用効果に加えて、頭部に着用した際の顔面の湾曲にそってケースが湾曲した際、通気孔が大きく開口する為、通気性をよくする作用効果を奏する。
【０００９】  請求項５の発明によれば、ケース表面に付着した雑菌を除菌する為、マスク正面から飛沫してくる雑菌に対し、防御能力を高める作用効果を奏する。
【００１０】  本発明は、以上の構成よりなるマスク用ケースである。
【発明を実施するための最良の形態】
【００１１】    以下、本発明の実施の形態について添付図面を参照しつつ説明する。【００１２】  図１は本発明のケースとしてのシート体を展開した状態を示す図である。図２は本発明のケースにマスクを取り付けた状態を示す図である。図３は本発明を収納する為にケースを折りたたんだ状態を示す図である。【００１３】  本発明は、図１に示されるように、シート体（１）において、折りたたみ用切抜き（３）、マスク取付け孔（４）、通気孔（５）が形成されている。【００１４】  図２に示されるように、本発明を使用する際は、マスク取付け孔（４）にマスク（２）を取り付ける。【００１７】  図３に示されるように、本発明を収納する際は、シート体（１）の内部にマスク（２）を一緒に折りたたむことによりケースが形成され、マスク（２）の型崩れを防ぎ、マスク内側の汚れや汚染をを低減することができる。【００１８】  その他、本発明のマスク用ケースは、上記した実施形態に限定されるのもではなく、本発明の要旨を逸脱しない範囲内において種々変更を加えうることは勿論である。
【発明の効果】
【００１９】  以上、説明したように、本発明を使用することで、収納ケースが散逸することがなく、マスク使用後、効率的かつ衛生的にマスクを収納できる。その結果、カバンやポケットの中でゴミやホコリ、雑菌、花粉などのアレルギー物質が付着したり、或いはマスクが変形しない為、付着物による使用者の感染やアレルギーの発症を予防し、マスクの寿命を長くする。
マスクの取り出しや収納の際に、マスク体の内側やフィルターに直接手を触れる必要がない為、衛生的である。
直接外部に露見するマスクの面積を減少させることができる為、セキなどの飛散型感染や花粉に対する対抗性が強い。
【図面の簡単な説明】
【図１】  本発明を展開した状態を示す平面図
【図２】  本発明の使用時の状態を示す斜視図
【図３】  本発明の収納時の状態を示す図
【符号の説明】
１  シート体
２  マスク
３  折りたたみ用切抜き
４  マスク取付け孔
５  通気孔
【図１】
2005137858.tif 000003
【図２】
2005137858.tif 000004
【図３】
2005137858.tif 000005
(57)【要約】      （修正有）【課題】開いたページをピタリとおさえることができ、改ページの時には容易にマグネットを移動させることができるブックスタンドを提供する。【解決手段】鉄板表面に吸着力０，８Ｋｇのマグネット２個吸着させることにより、開いた書籍のページをピタリと押さえ、又、容易に鉄板からマグネットを離すことが出来る。【選択図】図１
2005137856.tif 000002
【特許請求の範囲】
【請求項１】
「図１」、▲１▼文鎮がわりの木板の中央に吸着力０，８Ｋｇのマグネットを２個はめ込み、又、書籍台の中央の表面に幅２ｃｍ、長さ７ｃｍの鉄板を敷き、その磁力の吸着力で書籍等のベージの表紙を押さえる。
▲２▼書籍台の基底部の形態。
【請求項２】
「図２」、吸着力５Ｋｇのマグネットを２個使用し、その吸着力で一方を回転させ、その磁力の吸着力で書籍等のページの表紙をおさえる。
【発明の詳細な説明】
【技術分野】
【０００１】「図１、図２」ともマグネットの吸着力の度合。
【背景技術】
【０００２】過去の研究と開発の蓄積。
【特許文献１】
【非特許文献１】
【発明の開示】
【発明が解決しようとする課題】［開いたページをピタリとおさえることと、改ページの時には容易にマグネットを移動させること］
【課題を解決するための手段】［「図１」鉄板表面に吸着力０，８Ｋｇのマグネット２個吸着させることにより、開いた書籍のページをピタリと押さえ、又、  容易に鉄板からマクネットを離すことが出来る。
「図２」吸着力５Ｋｇのマグネット２個を吸着させることによって開いたページを押さえ、又、容易に戻すことができる］
【発明の効果】［開いたページを押さえ、又、容易に戻すことができる］
【発明の実施するための最良の形態】
「直感・忍耐・知識・素材・行動」
【実施例】［発案から試作までの期間９年３月］
【産業上の利用可能性】［生産性が可能］
【図面の簡単な説明】
【図１】書籍台の中央の表面に厚さ１ｍｍの鉄板を敷き、木製の文鎮にマグネットをはめ込んだもの。
【図２】左右、２個づつのマグネットの吸着力を使い、左右のページを別々に押さえる。
【符号の説明】
【図１】
１、置台
２、鉄板
３、マグネット
４、取っ手
【図２】
１、置台
２、取っ手
３、透明性のアクリル（表紙押さえ）
４、マグネット
【図１】
2005137856.tif 000003
【図２】
2005137856.tif 000004
【手続補正書】
【提出日】平成16年4月20日(2004.4.20)
【手続補正２】
【補正対象書類名】特許請求の範囲
【補正対象項目名】全文
【補正方法】変更
【補正の内容】
【特許請求の範囲】
【請求項１】
文鎮がわりの木板の中央に吸着力０，８Ｋｇのマグネットを２個はめ込み、又、書籍台の基盤の中央の正面に幅２ｃｍ、長さ７ｃｍ、厚さ１ｍｍの鉄板を敷き、その磁力の吸着力で書籍等のページの表紙をおさえる。
【手続補正３】
【補正対象書類名】明細書
【補正対象項目名】全文
【補正方法】変更
【補正の内容】
【発明の詳細な説明】
【技術分野】
【０００１】マグネットの吸着力の度合い。
【背景技術】
【０００２】過去の研究と開発の蓄積。
【特許文献１】
【非特許文献１】
【発明の開示】
【発明が解決しようとする課題】開いたベージをピタリと押さえることと、改ページの時にはマグネットを容易に移動させること。
【課題を解決するための手段】鉄板の表面に吸着力０，８Ｋｇのマグネット２個、吸着させることにより、開いた書籍等のページをピタリと押さえ、又、容易に鉄板からマグネットを離すことができる。
【発明の効果】書籍等が見やすい
【発明を実施するための最良の形態】
【実施例】改良に改良を重ねて試作し最良のブック  スタンド。
【産業上の利用可能性】生産性が可能
【図面の簡単な説明】
【図１】  書物台の基盤の中央の表面に幅２Ｃｍ、長さ７Ｃｍ、厚さ１ｍｍの鉄板を敷き、木性の文鎮にマグネットをはめ込んだもの。
【符号の説明】
１、基盤台
２、鉄板
３、木性
４、マグネット
５、取っ手
【手続補正４】
【補正対象書類名】図面
【補正対象項目名】全図
【補正方法】変更
【補正の内容】
【図１】
2005137856.tif 000005
(57)【要約】【課題】  マージャンゲームの点数計算装置を安価に構成するための、識別符号を有したマージャン牌の構成【解決手段】マージャン牌に取り付けてある電極間が導通又は非導通となっているだけの安価な電極をいくつか有することにより、マージャン牌の種類をビット判別できるようにした。【選択図】      図１
2005137860.tif 000002
【特許請求の範囲】
【請求項１】
マージャン牌の種類の識別を行うための電極を有し、その電極間が導通又は非導通であることにより種類の判別が可能なマージャン牌
【請求項２】
請求項１の電極をいくつかもつことにより、マージャン牌の種類をビット判別することのできる請求項１記載のマージャン牌
【発明の詳細な説明】
【発明の詳細な説明】
【技術分野】
【０００１】  本発明はマージャンゲームにおいて全自動点数計算ができるよう、牌の種類の情報の取り込みを可能とするマージャン牌に関する。
【背景技術】
【０００２】  マージャンゲームの点数計算を行うためのマージャン牌識別方法はいくつか存在するが、安価に実現できる方法ではなかった。
【発明が解決しようとする課題】
【０００３】  マージャンゲームの点数計算を安価に行うためのマージャン牌識別方法
【課題を解決するための手段】
【０００４】  マージャン牌に取り付けてある電極間が導通又は非導通となっているだけの安価な電極をいくつか有することにより、マージャン牌の種類をビット判別できるようにした。
【発明を実施するための最良の形態】
【０００５】  本発明の実施例を図１に基づいて説明する。【０００６】  マージャン牌の種類を識別する際、識別装置５の電極ピン４−ａ、４−ｂをマージャン牌１の電極２−ａ、２−ｂに接触させる。【０００７】  この時、電極２−ａと２−ｂの間３が導通していれば、識別装置５のＣＰＵはＬｏを認識し、非導通であればＨｉを認識することができる。（１ビット分）【０００８】  この電極を希望のビット分だけ用意し、３が導通、非道通であるものをさまざまに組み合わせたマージャン牌を用意することにより、全ての牌を種類分けすることができ、また読み出すことができる。
【発明の効果】
マージャンゲームの点数計算装置を安価に構成することが可能
【図面の簡単な説明】
【図１】  本発明の請求項１で示したマージャン牌と識別装置を接続した時の識別方法を示す。
【符号の説明】
１      マージャン牌
２−ａ  電極
２−ｂ  電極
３      電極間の接続（導通または非導通）
４−ａ  電極ピン
４−ｂ  電極ピン
５      識別装置
【図１】
2005137860.tif 000003
(57)【要約】【課題】  脚．腰の湯治では、少しでも長湯をしたいと思うのだが、深さが一定であり、全身が浸かるので長湯はできない。この問題を解決するために工夫を重ね、浴槽内て欲する深さに調整し、腰掛けたまま座台を回転させたりしながら、温浴を楽しむことができるもので、湯治の補助用具として提供する。【解決手段】  腰掛け台（１）の底部にネジ支柱を設け、それを３脚支えの中心部である受けネジ（６）にねじ込み、腰掛け台（１）の上下移動及び回転を可能にした。なお、着床の安定を図るために３脚にし、小さいながらもある程度の重量ある材料を利用した。以上の構成による深さを調整できる湯治用補助回転椅子である。【選択図】  図１
2005137855.tif 000002
【特許請求の範囲】
【請求項１】
浴槽内で使用する、深さが調整できる回転可能な湯治用補助椅子。
【発明の詳細な説明】
【発明の詳細な説明】
【技術分野】
【０００１】  この発明は、風呂や温泉等で、特に身体の中心部より下部分の湯治を丹念に行おうとするとき、椅子の座面からの深さを調整することによって必要以外の上半身を湯面より出しておくことができる。場合によっては膝や腰で椅子を左右に回転させることが可能な湯治用補助椅子に関するものである。
【背景技術】
【０００２】  従来の椅子類は、特別な医療に関するもの以外においては、地上で使用されるものとして製作されたものである。
浴槽内での浴槽の一部としての腰掛けは見受けるが、一定の深さに設定してあるため各自に合わせた深さを得ることが困難であり、また、湯治補助運動としての回転運動も不可能である。
【発明が解決しようとする課題】
【０００３】  本発明は大小の浴槽にかかわらず湯の中で使用する湯治補助椅子であり、次の条件を満たすように研究を重ねてきた。
（イ）浴槽への出し入れが容易にできるよう、極めて構造が簡単であること。
（ロ）持ち運びが簡単に出来るように、できるだけ小型にすること。
（ハ）浴槽の底部に傾斜がある場合などを考慮して、安定度が高いこと。
（ニ）椅子の座面から湯面までの深さが簡単に調整出来ること。
（ホ）補助運動としての左右への回転が可能であること。
本発明はこれらの問題点を解決するためなされたものである。
【課題を解決する手段】
【０００４】  腰掛け台（１）の底部に太めのねじ支柱（２）を設け、それを３脚支えの中心部である受けネジ支柱包み外管（６）の上部にねじ込み、腰掛け台（１）の上下移動及び回転を可能にした。
より安定度を強化するために、３脚にし３個の脚板（３）を幅広い板状のものを受けネジ（６）の上部外管に大きな角度で取り付けた。
３個の脚板を補強するため脚支え（４）を、脚板（３）と受けネジ支柱包み外管（６）とを連結した。
脚板（３）と腰掛け台（１）には、湯通しをよくするために、穴（５）及び穴（７）を設けた。
左右回転運動を容易にするためにクッション性のある網状のすぺり止めで腰掛台面を覆った。
本発明は以上の構成よりなる深さを変える湯治用補助回転椅子である。
【発明を実施するための最良の形態】
【０００５】  以下、本発明の実施の形態を説明する。
（イ）腰掛け台（１）裏面に取り付けた支柱（２）をネジにしたのは、腰掛け台（１）を回転させることによって湯面までの深さを調整できることと左右に捻る湯治補助運動も可能であるように、ネジを利用した場合は複雑な装置も必要なく最も簡単な方法である。
（ロ）最も着床の安定度が大きいのは３脚であることからこれを採用した。
しかも、浴槽の底面に傾斜を設けてあるような場合にも着床の安定を図る為、脚板（３）を板状の広い材料を使い、小型であることから脚板（３）をなるだけ広くした。
なお、浴槽の底面への着床の安定を図るために小型ではあるが、持ち運び及び浴槽への出し入れに不自由のない程度の重量をつけた。
（ハ）腰掛け台（１）や脚板の穴（７）穴（３）は湯の通りを良くしたもので、滑り止め網（８）はクッション性のある肌触りの良い網状のもので湯治補助運動としての膝及び腰を左右に捻り腰掛け台（１）を回す場合の滑り止めの作用を果たす。
本発明は以上の構成からなる。本発明を使用する場合には、湯の中でも見え易い鮮やかな色で着色したものがよく、浴槽に出し入れするので常に清潔に心掛ける必要がある。
（１）取り落としに注意しながら浴槽に入れる。
（２）深さを調整する
（３）着床の具合を点検する。
（４）静かにしていることもよいし、脚、腰を座台ごと捻って湯治の補助運動にすることもよい。
【発明の効果】
【０００６】  本発明を使用することによって、家庭の風呂でも、温泉の湯治においても、各自の深さを調整して必要な部位迄だけ湯につかる事ができるのでゆっくりとした気分で爽快に長湯ができる。
また、膝や腰を座台ごと左右に回転させ遊び心での補助運動も可能である。
【図面の簡単な説明】
【図１】    正面図
【図２】    斜め下方から見た斜視図
【図３】    平面図
【図４】    底面図
【図５】    腰掛け台に網状の滑り止めをつけた平面図
【符号の説明】
（１）  腰掛け台
（２）  ネジ支柱
（３）  脚板
（４）  脚支え
（５）  脚板の湯通し穴
（６）  受けネジ及び支柱包管
（７）  腰掛け台の湯通し穴
（８）  弾力性のある網状の滑り止め
【図１】
2005137855.tif 000003
【図２】
2005137855.tif 000004
【図３】
2005137855.tif 000005
【図４】
2005137855.tif 000006
【図５】
2005137855.tif 000007
(57)【要約】【課題】  ひもを通す開口部を有する本体と端部にストッパーを有するひもにて構成されるひも固定具を提供する。【解決手段】ひもを通す開口部およびひもを屈折上に配置するためのガイド並びに端部ストッパーを支持する開口端を有する本体と端部にストッパーを有するひもにて構成されるひも固定具。【選択図】図３
2005137849.tif 000002
【特許請求の範囲】
【請求項１】
ひもを通す開口部及びひもを屈折状に配置するためのガイド並びにひも端部ストッパーを支持する開口端を有する本体と端部にストッパーを有するひもにて構成されるひも固定具。
【発明の詳細な説明】
【技術分野】
【０００１】この発明は、ひもの固定具に関するものである。
【背景技術】
【０００２】ひもは、結ぶか又はひも端部に取り付けたフック状のものをひもに回し掛けして固定するのが従来からの方法であった。
【発明の開示】
【発明が解決しようとする課題】
【０００３】従来の技術には、次のような欠点があった。
（イ）結んで固定する場合は、結ぶ時に緩みができやすく、緊縛するのに手間がかかった。
（ロ）回し掛けしてフック状のもので固定する場合、固定部に緩みを生じさせないため、ひもを緊張しておく必要があった。
本発明は、以上の欠点を解決するためになされたものである。
【課題を解決するための手段】
【０００４】ひもを通す開口部およびひもを屈折状に配置するためのガイド並びにひも端部ストッパーを支持する開口部を有する本体と端部にストッパーを有するひもにて構成される固定具である。
【発明の効果】
【０００５】本発明を使用することによって、固定作業時の緩みがなくなるため、緊縛作業が迅速容易に行えるとともに、フック状のもので固定する場合のように、固定部の緩み防止のため、ひもの緊張状態維持の必要がなくなる。
【発明を実施するための最良の形態】
【０００６】以下、本発明を実施するための最良の形態を説明する。
（イ）前面開口３、下面開口４、側面開口７、上面開口９を有する構造体である。
（ロ）本体前面２と本体後面６間のひも通路部は、ひもを屈折させて配置できる構造とし、例えば図２のようなガイド１０、１１、１２を設ける。
（ハ）側面開口７の本体前面５と本体後面８の間隔は、ひも端部ストッパー１４の直径より小さい寸法とする。
（ニ）ひも１３にはひも端部ストッパー１４を設ける。
（ホ）ひも１３とガイド１０、１１、１２は図４のような配置とする。
本発明は以上のような構成で、これを使用するときは、固定対象物１５にひも１３を抱き回ししてから、前面開口３および下面開口４並びに上面開口９からひも１３を本体内部に挿入する。ひも端部ストッパー１４は側面開口７の外側に配置し、この状態で上面開口９側のひも１３を上面開口９側から上方に引き出すと、ひも端部ストッパー１４が本体前面５、本体側面６、本体後面８により阻止されるため、ひも１３は下面開口部４側本体との間に固定対象物１５を挟み込んだ状態で固定される。ひも１３は、ガイド１０、１１、１２により屈折させられているため、固定位置を維持し緩みは生じない。ほどくときは、ひも１３を下面開口４側に引き戻して緩め、側面開口７、上面開口９、前面開口３および下面開口４よりひも１３を取り出せばよい。
【図面の簡単な説明】
【０００７】
【図１】本発明の本体斜視図
【図２】本発明のＡＡ断面図
【図３】本発明の実施例斜視図
【図４】本発明のＢＢ断面斜視図
【符号の説明】
【０００８】    １  本体側面
２  本体前面
３  前面開口
４  下面開口
５  本体前面
６  本体側面
７  側面開口
８  本体後面
９  上面開口
１０  ガイド
１１  ガイド
１２  ガイド
１３  ひも
１４  ひも端部ストッパー
１５  固定対象物
【図１】
2005137849.tif 000003
【図２】
2005137849.tif 000004
【図３】
2005137849.tif 000005
【図４】
2005137849.tif 000006
(57)【要約】【課題】  浴槽内の湯を利用して浴槽の側面に足湯の行為ができる機能を持たせた椅子を取り付け、出し入れが可能な一体型の浴槽を提供する。【解決手段】浴槽（１）の側面（３）に椅子（２）を取り付け、収納（４）機能を持たせた浴槽である。【選択図】図１
2005137845.tif 000002
【特許請求の範囲】
【請求項１】
浴槽（１）の側面（３）に足湯が可能になるような椅子（２）を取り付た一体型の浴槽。
【請求項２】
浴槽（１）の側面（３）に足湯が可能になるような椅子（２）が操作によって、出し入れ可能な収納（４）機能を持った浴槽。
【発明の詳細な説明】
【発明の詳細な説明】
【技術分野】
【０００１】  この発明は、浴室内で浴槽の側面に椅子を取り付け、浴槽内の湯を利用する目的で、足湯ができる機能を持たせた浴槽である。
【背景技術】
【０００２】  従来、足湯を浴槽内の湯で行う行為は、浴槽の外側、すなわち椅子等を持ち込み近接や当接をして行っていた。また浴室や浴室外で足湯のできるような桶など、単品での用品を使用して行っていた。
【発明が解決しようとする課題】
【０００３】そのために、次のような欠点があった。
（イ）浴槽内の湯で足湯を行うには、椅子などを持ち込まなければならない不便があった。
（ロ）浴槽と洗場は段差が設けられており、浴槽内の湯で足湯を行う場合に使用する椅子などは、目的に適してない。
（ニ）足湯のできるような桶など単品の用品は、製品化されているが、これらは何れも浴槽内の湯を利用する目的でなく、浴室外での用品である。
本発明は、これらの欠点を解決するためになされたものである。
【課題を解決するための手段】
【０００４】  浴槽（１）の側面（３）に椅子（２）を取り付ける。取り付けられた椅子は（２）浴槽（１）の側面（３）に収納（４）できるように装置をもうける。
本発明は、以上の構成からなり浴槽内（９）の湯を利用して足湯を可能にした浴槽である。
【発明の実態の形態】
【０００５】  以下、本発明の実地の形態について説明する。
2005137845.tif 000003
【図１】
本発明の足湯の行為をしている斜視図
【図２】
浴槽の側面に取り付けた椅子を取り出した浴槽の断面
【図３】
浴槽の側面に取り付けた椅子を収納した浴槽の断面
【符号の説明】
（１）浴槽
（２）椅子
（３）側面
（４）収納
（５）座板
（６）肘かけ
（７）背もたれ
（８）洗場
（９）湯
【図１】
2005137845.tif 000004
【図２】
2005137845.tif 000005
【図３】
2005137845.tif 000006
【手続補正書】
【提出日】平成16年8月24日(2004.8.24)
【手続補正１】
【補正対象書類名】明細書
【補正対象項目名】全文
【補正方法】変更
【補正の内容】
【発明の詳細な説明】
【特許請求の範囲】
【発明の詳細な説明】
【請求項１】
浴槽（１）の側面（３）に足湯が可能になるような椅子（２）を取り付けた一体型の浴槽。
【請求項２】
浴槽（１）の側面（３）に足湯が可能になるような椅子（２）が操作によって、出し入れ可能な収納（４）機能をもった浴槽。
【技術分野】
【０００１】  この発明は、浴室内で浴槽の側面に椅子を取り付け、浴槽内の湯を利用する目的で、足湯ができる機能を持たせた浴槽である。
【背景技術】
【０００２】  従来、足湯を浴槽内の湯で行う行為は、浴槽の外側、すなわち椅子等を持ち込み近接や当接をして行っていた。また浴室や浴室外で足湯のできるような桶など、単品での用品を使用して行っていた。
【発明が解決しようとする課題】
【０００３】  そのために、次のような欠点があった。
（イ）浴槽内の湯で足湯を行うには、椅子などを持ち込まなければならない不便があった。
（ロ）浴槽と洗場は段差が設けられており、浴槽内の湯で足湯を行う場合に使用する椅子などは、目的に適してない。
（ニ）足湯のできるような桶など単品の用品は、製品化されているが、これらは何れも浴槽内の湯を利用する目的でなく、浴室外での用品である。
本発明は、これらの欠点を解決するためになされたものである。
【課題を解決するための手段】
【０００４】  浴槽（１）の側面（３）に椅子（２）を取り付ける。取り付けられた椅子は（２）浴槽（１）の側面（３）に収納（４）できるように装置をもうける。
本発明は、以上の構成からなり浴槽内（９）の湯を利用して足湯を可能にした浴槽である。
【発明の実態の形態】
【０００５】  以下、本発明の実地の形態について説明する。
浴槽（１）の側面（３）に足湯ができるような適当な高さと、所要形状を持った椅子（２）を取り付け、また適当な高さと、所要形状を持った椅子（２）は浴槽と一体型となるように設ける。
【０００６】  適当な高さと、所要形状を持った椅子（２）は、浴槽（３）に収納（４）でき、使用時には操作によって引き出せるような装置とする。
【０００７】  操作によって、引き出された椅子（２）は、座板（５）の上に座り足湯の行為を行う椅子（２）には、自在性の機能を持たせた肘掛（６）や背もたれ（７）が付いていれば所望の体形がとれ、足湯の行為はいっそう効果がある。
【０００８】  不使用時のときは、椅子（２）を収納（４）をしておけば、洗場（８）のスペースを占領する事なく、普段の入浴と同じである。
本発明は以上のような構造でこれを使用するときは、浴槽（１）と一体型に収納された椅子（２）を取り出し、本発明の意とする足湯を行う。
【発明の効果】
【０００９】  以上、述べた様に、本発明は足湯行為が可能になる装置を取り付けた浴槽は、収納された椅子を取り出し、座るなどして足湯を行えばよい。
【００１０】  浴槽に取り付けられた椅子は、装置を介して座板の高低や所要形状を合致する構造にする事ができる。
【００１１】  浴槽内の足湯の行為は、浴槽内の湯を利用してできるので入浴中もちろんの事、入浴外でも浴槽内に湯さえあれば、取り付けれた椅子を利用して、何時でも利用が可能で手軽にでき、また残り湯を利用すれば経済的すぐれた足湯の行為ができる。
【図面の簡単な説明】
【００１２】
【図１】本発明の足湯の行為をしている斜視図
【図２】浴槽の側面に取り付けた椅子を取り出した浴槽の断面
【図３】浴槽の側面に取り付けた椅子を収納した浴槽の断面
【符号の説明】
【００１３】（１）浴槽
（２）椅子
（３）側面
（４）収納
（５）座板
（６）肘かけ
（７）背もたれ
（８）洗場
（９）湯
(57)【要約】【課題】純正で標準で付いてるヘッドレストにリヤーモニターなどをつけようと思っても物理的に無理な場合が多く、モニターの付くヘッドレストは車種専用設計になってるので取り付ける事が出来ませんでした。【解決手段】リヤーモニターの付く形状にヘッドレストを作り、ヘッドレスト事態に汎用性を持たせる事によってより多くの車種に対応するような構造になってる。【選択図】図２
2005137848.tif 000002
【特許請求の範囲】
【請求項１】
自動車のヘッドレストに汎用性を兼ね備えた交換用ヘッドレスト。
【請求項２】
パイプと固定している筒を違う素材を使う事により、簡単な構造でパイプ間の幅を変えたり角度を調節できるヘッドレスト。
【請求項３】
パイプの径もスペーサー（筒状）で簡単に変えられるヘッドレスト。
【発明の詳細な説明】
【技術分野】
【０００１】この発明は車両のヘッドレストに汎用性を持たせるためのもの。
【背景技術】
【０００２】従来からヘッドレストは車には標準でついてるものです、形状も決まった形で選択の余地はありませんでした。
【発明の開示】
【発明が解決しようとする課題】
【０００３】現状のヘッドレストのままではリヤーモニターを付けたりする場合には、物理的に困難であったり無理な場合もあった。
そこで、この発明は、ヘッドレストに汎用性を持たせる事によって、より多くの車種に装着できるような構造を提供する事を課題とする。
【課題を解決するための手段】
【０００４】以上の課題を解決するために、第一発明は、パイプと筒を組み合わせる事で汎用性をもってる事を特徴とするヘッドレストである。
また、第二発明は、筒（樹脂）パイプ（金属）を組み合わせる事によって、簡単な構造で可変と固定を両立することを特徴とするヘッドレストである。
【発明の効果】
【０００５】第一発明、または第二発明によれば、より多くの車種に装着でき容易にヘッドレストを交換できるので標準以外のヘッドレストを装着できる。
【発明を実施するための最良の形態】
【０００６】この発明の一実施形態を、図１に示す。
表皮は布やレザーで出来ており本発明との間はウレタン樹脂で埋められる。
ヘッドレストの前後はもちろんポールがスライドする事を特徴とする。【０００７】「実施形態の効果」
この実施形態によれば、▲２▼の筒を▲３▼のポールがスライド（ポール間調整）したり回転（角度調整）したり容易に出来る。
図１の実施形態では▲２▼の筒の部分を樹脂製で作りパイプ▲３▼を金属にする事で適度な柔軟性も持ち合わせることが出来る。【０００８】「他の実施形態」
▲４▼の筒状のスペーサーを使う事によって装着可能な車種の幅を増やせる
【図面の簡単な説明】
【０００９】
【図１】この発明の一実施形態を示す斜視図である。
【図２】内部技術を示す斜視図である。
【符号の説明】
【００１０】▲１▼ヘッドレストのベース部分              ▲２▼樹脂で出来た筒部分
▲３▼シートに入るポール                    ▲４▼筒状のスペーサー
【図１】
2005137848.tif 000003
【図２】
2005137848.tif 000004
(57)【要約】【目的】点滴注射溶液と同時に気泡が血管内方へ注入される  然る気泡の注入を確実に防止可能な承継管の提供【構成】溶液内を流動する気泡の性質の応用による理学的承継管の構成によって気泡だけを完全に除去することが可能である  図２に示す如く集気管▲１▼を円筒形に設け  更に点滴液注入口▲２▼を円筒の中央中心に位置する事によって気泡が液体と共に血管内に注入することはない【選択図】    図１
2005137850.tif 000002
【特許請求の範囲】
【請求項１】
点滴溶液内を流動する気泡（空気）が血管に注入する事前に完全に集気可能に  円筒形の集気管▲１▼を設け該管の中央中心に位置するように点滴液注入口▲２▼を設け他方に注射針と接続する針受口▲３▼を設け更に後方へ延長部分を設け点滴補液を差込むための補液口▲５▼を設け末端に点滴溶液を接続するための溶液受口▲６▼を設けて成る点滴用承継管
【請求項２】
長期入院或は多種多様の静注溶液を必要とする難病等の場合は延長部分を更に長く延ばし補液口▲５▼の数の多い物を利用し  よって集気管▲１▼内に気泡（空気）が蓄溜した場合には抜気栓▲７▼を抜気孔▲８▼まで引上げ抜気可能と成した請求項第一項に示す点滴用承継管
【発明の詳細な説明】
【発明の詳細な説明】
【産業上の利用分野】
【０００１】薬液を静脈に応用する治療法は全世界の医学者が容易に常時実施している  本発明は其の薬液中に流動する気泡（空気）を完全に除去せんとする
【背景技術】
【０００２】点滴準備の操作で溶液内に気泡（空気）が浸入し溶液と同時に血管内に流入するが  術者も器具も全く無関心である  調査の結果は都心の病院も田舎の病院も同じである
【発明が解決しようとする課題】
【０００３】血液中に空気が混入した場合瓦斯化又は気泡となって心臓は勿論  血栓  抹消血管等の異変  治療困難な診断のつかない疾病等を誘起する憂いは高い  ましては飛沫細菌を含む空気であった場合の危険性は一層高い  術者の無関心を加え血液中に空気を流入してはいけない
【課題を解決するための手段】
【０００４】気泡（空気）をそれ自体浮力があるので理学的に研究処理する事が最も有効な手段であり  請求項第一項に示す点滴用承継管内の気泡は外壁に磁着したかの如く流動するので溶液の内部まで混入混合することは先ずあり得ない  然る性質と実験例で示す構造によって血管内に空気が流入することはない
【実施例】
【０００５】術者に点滴溶液と共に血管に注入されてゆく気泡の質問をすれば  血管内に注入された気泡は血液に溶解して無くなります  とか  小量１ＣＣまでは何の問題もありませんと応答する  医学的判断からすれば  なんらかの障害を誘起するであろうと憂うるものである  操作による空気の浸入は地方だけであろうと思って都会の病院を覗いてみると全く同じである  術者がいくら念入りに操作しても小量の空気の浸入は避けられないと言うことである
本発明は血管への気泡の注入を回避するために図面に示す如く  点滴溶液受口▲６▼或は補液口▲５▼から浸入した気泡は集気管▲１▼に蓄溜可能に設け必要に応じて随時抜気栓▲７▼を抜気孔▲８▼まで引上げて抜気可能と成した点滴用承継管であるが  溶液内へ浸入した空気は空気其れ自体が所有する浮力とか凝集力とか等々があるので集気管▲１▼の内壁が磁石であるかのように流動するので液体に混入混合することはない  又凝集力があるので分散することもない一方集気管▲１▼の構造が円筒形であるために点滴実施中の患者がどんなに動こうとも気泡は円の内壁を磁流する  尚血管への入口点滴液注入口▲２▼が集気管▲１▼の中央中心に位置しているので気泡が突込むことも流入することもあり得ないので絶対に血管への注入はありえない点滴用承継管
【図面の簡単な説明】
【図１】  横断面図
【図２】  抜気栓の位置で前面断面図
【符号の説明】
１  集気管
２  点滴液注入口
３  針受口
５  補液口
６  溶液受口
７  抜気栓
８  抜気孔
【図１】
2005137850.tif 000003
【図２】
2005137850.tif 000004
(57)【要約】      （修正有）【課題】「つぼ」を「ソフトレザー全身浴」によって一括同時刺激する事によって全身の「気の流れ」を調節し本来の理想的状態に戻す事によって生体バランスを整え生命体として機能レベルを上昇させて健康を回復させ生命力を増進させる生物体ソフトレザー照射治療器具を提供する。【解決手段】プラスチックのカプセル内でソフトレザーを照射する。タイムスイッチを付けて時間的ソフトレザー全身浴効果測定の方法を計りデーターを集める。【選択図】図１
2005137847.tif 000002
【特許請求の範囲】
【請求項１】
古代から経験則によって非常に良く知られた全身の重要な「つぼ」を「ソフトレザー」によって同時刺激する事によって全身の「気の流れ」を調節し本来の理想的状態に戻す事によって「生態バランスを整え生命体のレベルを上昇させて健康を回復させ生命力を増進させる事」を目的とした機器に対して特許を請求します。
【発明の詳細な説明】
【図面の簡単な説明】プラスチックのカプセル状のものを作り中でリラックスして上向き叉うつ伏せで横たわる。周囲からソフトレザーを放射してソフトレザーの全身浴、全身つぼ刺激が同時に出来る様にする。
【図１】
2005137847.tif 000003
【図２】
2005137847.tif 000004
【手続補正書】
【提出日】平成16年1月23日(2004.1.23)
【手続補正２】
【補正対象書類名】明細書
【補正対象項目名】全文
【補正方法】追加
【補正の内容】
【書類名】明細書    【発明の名称】Ｍｏｔｈｅｒ  Ｌ（ソフトレザーによる全身ツボ刺激体調整調体質改     善具）    【技術分野】    【０００１】     ソフトレーザーにより全身のつぼを刺激して体調整調、体力増強、症状改善、治癒促進、     免疫力向上、自己治癒力増大、治療補助の効果を生み出す。    ソフトレーザーの強度と照射時間はコンピューターで制御して各患者の症状に合わせて変    更出来る様にしておきます。    【図面の簡単な説明】    【０００２】     【図１】斜め側面図  寝台状の台の上にかまぼこ形のプラスチックの蓋（カ    プセル）を取り付けます。  赤い点（ａ，ｂ，ｃ，ｄ，ｅ，ｆ，ｇ，ｈ，ｉ）からソ    フトレーザーを放射出来る様にします。  ソフトレーザーは別紙記載のツボに照射し    ます。  ソフトレーザーの強度と照射時間はコンピューターで制御して各患者の症状    に合わせて変更出来る様にしておきます。    【図２】斜め側面図  「図１」のプラスチックの蓋（カプセル）を開けた状態です。      患者さんはこの状態でカプセルに出入りします。    【符号の説明】    【０００３】１、「ａ，ｂ，ｃ，ｄ，ｅ，ｆ，ｇ，ｈ，ｉ」  はソフトレザー照射ポイント2005137847.tif 000005
2005137847.tif 000006
(57)【要約】【課題】  現在主に使用されている電気掃除機の排気をもっと掃除に利用できないものだろうか。【解決手段】  電気掃除機の排気口に排気量を調節できるフラップを取り付け、そこで発生する空気圧を利用し、風量の調整をしながら、狭いところや高いところの埃やゴミを吹き飛ばし、掃除機により、吸引出来る様にする。【選択図】  図２
2005137828.tif 000002
【特許請求の範囲】
【請求項１】
電気掃除機の排気を利用する事でハタキ掛けと細部の掃除を簡単に出来る電気掃除機の付属装置。
【発明の詳細な説明】
【発明の詳細な説明】
【技術分野】
【０００１】  本発明は、電気掃除機の排気口をフラップ等で排気量を制限する事で高まる空気圧を利用し、その空気を巻き取り式のホースに逃し、そのホース先端に取り付けたノズルから吹き出る様にする。又、空気圧を調整する事で、その風力を変化させることで細部や高い所の掃除に利用しようとするものである。
【背景技術】
【０００２】  従来使用されている電気掃除機の排気の利用方法は、掃除機内の循環式の利用方が主なものである。
【発明が解決しようとする課題】
【０００３】  今までの電気掃除機では、家具の隙間、家電製品の細部、装飾品などの塵、埃など掃除しづらい所が多数ある。
【課題を解決するための手段】
【０００４】  電気掃除機から出てくる排気を利用し、掃除しづらい部分の塵、埃を吹き飛ばし、掻きだし掃除機で吸い取れる形にする。
【発明を実施するための最良の形態】
【０００５】  本発明は、
【図３】
の多数のフラップが付いた開閉装置１を
【図１】
の調整ダイヤル３を開閉調整をすることで、掃除機内に高まった空気圧でホース２にエアーを送り込み、
【図２】
のノズル４によって塵や埃を吹き飛ばす。
【発明の効果】
【０００６】  このノズルから出る風により掃除しづらかった部分の掃除が掃除機だけでより効率的に出来る様になる。
【図面の簡単な説明】
【図１】  電気掃除機の全体図
【図２】  排気口付近の内部構造図
【図３】  排気量調整フラップの構造図
【図１】
2005137828.tif 000003
【図２】
2005137828.tif 000004
【図３】
2005137828.tif 000005
(57)【要約】【課題】  この発明は、透明プラスチックケースに数量計上器と荷重計を取り付けてケース内のパチンコ玉の数が分かる装置に関する物である。【解決手段】  透明プラスチックケース（１）の上部に数量計上器（２）を設け底部に荷重計（３）を設けて接続する。【選択図】  図１
2005137823.tif 000002
【特許請求の範囲】
【請求項１】
（イ）  数量計上器（２）を透明プラスチックケース▲１▼の上部枠内部に設ける。
（ロ）  透明プラスチックケース（１）の底に荷重計（３）を設ける。
（ハ）  荷重計（３）を透明プラスチックケース（１）の内部を通し数量計上器（２）に接続する。
以上の如く構成されたパチンコ玉の数量計上装置付ケース。
【請求項２】
数量計上器（２）に荷重計（３）を接続し透明プラスチックケース（１）に設けたパチンコ玉の数量計上装置付ケース。
【発明の詳細な説明】
【発明の詳細な説明】
【技術分野】
【０００１】  この発明は、ケースに荷重計を設けてパチンコ玉の数が分かる装置に関するものである。
【背景技術】
【０００２】  従来のケースはただ入れるだけのもので、ケースに玉が溜まっても計量場に持って行くまで数量が分からなかった。
【発明が解決しようとする課題】
【０００３】  従って、ただ入れるだけのケースを、打ち手が打ちながら数量がその場で分かる要望に応えるために考案されたのである。
【課題を解決するための手段】
【０００４】今、その構成を説明すると、
（イ）  透明プラスチックケース（１）の上部枠内部に数量計上器（２）を設ける。
（ロ）  透明プラスチックケース（１）の底に荷重計（３）を設ける。
（ハ）  荷重計（３）を透明プラスチックケース（１）の内部を通し数量計上器（２）に接続する。
以上のように装置する。
【発明実施の形態】
【０００５】  次に本発明の実施の形態を述べると、プラスチックケース（１）にパチンコ玉を入れることによって底部の荷重計（３）が反応し、その重さによって上部の数量計上器（２）に数が表示される。
【発明の効果】
【０００６】  だからパチンコ玉を透明プラスチックケース（１）に入れると、荷重計（３）の働きで数量が分かり、打ち手としては目標個数に到達すると速やかに終了することが出来、精神的にも楽になる。
【図面の簡単な説明】
【図１】  本発明の斜視図
【図２】  本発明の使用斜視図
【図３】  本発明の実施例の斜視図
【符号の説明】
１は透明プラスチックケース
２は数量計上器
３は荷重計
【図１】
2005137823.tif 000003
【手続補正書】
【提出日】平成16年1月21日(2004.1.21)
【手続補正１】
【補正対象書類名】図面
【補正対象項目名】全図
【補正方法】変更
【補正の内容】
【図１】
2005137823.tif 000004
【図２】
2005137823.tif 000005
【図３】
2005137823.tif 000006